(57)【特許請求の範囲】
【請求項１】
メッシュ部を通して薬液を霧化して噴出するメッシュ式ネブライザであって、
振動面を有する振動部を備えた本体と、
上記本体に対して着脱可能に装着される薬液パックとを備え、
上記薬液パックは、
上記メッシュ部が形成された蓋部材と、
上記メッシュ部へ向かって開き上記蓋部材に覆われた凹部を有し、この凹部に上記振動面上へ向けて供給すべき薬液が収容された薬液収容部材とを備え、
上記薬液収容部材の上記凹部の底面のうちの少なくとも上記振動面に対向すべき部分は伸展性を有する素材で形成され、
上記薬液パックが上記本体に装着されると、上記底面の上記伸展性を有する素材が伸びて、上記振動面が上記蓋部材の上記メッシュ部に接近するのを許容することを特徴とするメッシュ式ネブライザ。
【請求項２】
請求項１に記載のメッシュ式ネブライザに装着される薬液パックであって、
上記メッシュ部が形成された蓋部材と、
上記メッシュ部へ向かって開き上記蓋部材に覆われた凹部を有し、この凹部に上記振動面上へ向けて供給すべき薬液が収容された薬液収容部材とを備え、
上記薬液収容部材の上記凹部の底面のうちの少なくとも上記振動面に対向すべき部分は伸展性を有する素材で形成されていることを特徴とする薬液パック。
【請求項３】
請求項２に記載の薬液パックにおいて、
上記蓋部材は、上記薬液収容部材の上縁から外側に延伸して形成されたフランジ部を含み、
上記薬液パックが上記本体に装着されると、上記蓋部材のフランジ部が上記本体の上記振動面の周りを取り囲む内周壁の上縁で支持されることを特徴とする薬液パック。
【請求項４】
請求項２または３に記載の薬液パックにおいて、
上記蓋部材は平坦な形状を有し、
上記凹部は、上記薬液が貯留される深い第１領域と、上記第１領域よりも浅い第２領域とを含み、
上記振動面に対向すべき上記薬液収容部材の上記凹部の底面は上記第２領域に配置されていることを特徴とする薬液パック。
【請求項５】
請求項１に記載のメッシュ式ネブライザにおいて、
上記本体は、
上記振動面の周りを取り囲む内周壁と、
上記内周壁に対して同心で上記内周壁の周りに回転可能に配置された外周壁と、
上記内周壁と上記外周壁との間に介挿される筒状の周壁を有し、この周壁の一部に形成された開口部を通して上記薬液パックを受け入れて保持するホルダ部材とをさらに備え、
上記本体の上記外周壁が上記内周壁の周りに回転されるのに伴って、上記内周壁に対して上記ホルダ部材を上昇または下降させる昇降機構を備えたことを特徴とするメッシュ式ネブライザ。
【請求項６】
請求項５に記載のメッシュ式ネブライザにおいて、
上記昇降機構は、上記ホルダ部材の外周面に設けられた第１ねじ要素と、上記第１ねじ要素と係合し得るように上記本体の上記外周壁の内面に形成された第２ねじ要素とを備えたことを特徴とするメッシュ式ネブライザ。
【発明の詳細な説明】
【技術分野】
【０００１】
この発明はメッシュ式ネブライザに関し、より詳しくは、振動面とメッシュ部との間に供給された液体を、上記メッシュ部を通して霧化して噴出するメッシュ式ネブライザに関する。
【０００２】
また、この発明は、そのようなメッシュ式ネブライザを構成するのに適した薬液パックに関する。
【背景技術】
【０００３】
従来、この種のメッシュ式ネブライザとしては、例えば特許文献１（特開２０１４−４２０８号公報）に開示されているように、本体にホーン振動子を備え、本体に対して着脱可能および開閉（回動）可能に取り付けられたメッシュキャップを備えたものが知られている。本体に対してメッシュキャップが取り付けられ、閉じられた状態では、ホーン振動子の振動面とメッシュキャップのメッシュ部とが対向する。この状態で、振動面とメッシュ部との間に薬液が供給されるとともに、上記ホーン振動子に駆動電圧が印加されて振動面が振動される。これにより、上記メッシュ部を通して上記薬液が霧化されて噴出する。
【先行技術文献】
【特許文献】
【０００４】
【特許文献１】特開２０１４−４２０８号公報
【発明の概要】
【発明が解決しようとする課題】
【０００５】
しかしながら、上記メッシュ式ネブライザでは、使用後、その度に、本体からメッシュキャップを取り外し、メッシュ部を含むメッシュキャップを洗浄、消毒、乾燥する必要がある。このため、ユーザにとって、手入れが煩わしいという問題がある。さらに、上記メッシュキャップは精密部品であるため、洗浄によって破損し易く洗浄が困難であるという問題がある。また、メッシュ部が正しく洗浄されないと、不衛生でありかつ噴霧効率が低下するという問題がある。
【０００６】
そこで、この発明の課題は、衛生的でありかつ噴霧効率を低下させることなしに、ユーザにとって手入れが簡単となるメッシュ式ネブライザを提供することにある。
【０００７】
また、この発明の課題は、そのようなメッシュ式ネブライザを構成するのに適した薬液パックを提供することにある。
【課題を解決するための手段】
【０００８】
上記課題を解決するため、この発明のメッシュ式ネブライザは、
メッシュ部を通して薬液を霧化して噴出するメッシュ式ネブライザであって、
振動面を有する振動部を備えた本体と、
上記本体に対して着脱可能に装着される薬液パックとを備え、
上記薬液パックは、
上記メッシュ部が形成された蓋部材と、
上記メッシュ部へ向かって開き上記蓋部材に覆われた凹部を有し、この凹部に上記振動面上へ向けて供給すべき薬液が収容された薬液収容部材とを備え、
上記薬液収容部材の上記凹部の底面のうちの少なくとも上記振動面に対向すべき部分は伸展性を有する素材で形成され、
上記薬液パックが上記本体に装着されると、上記底面の上記伸展性を有する素材が伸びて、上記振動面が上記蓋部材の上記メッシュ部に接近するのを許容することを特徴とする。
【０００９】
凹部の平面形状は、円形、丸角四角形（角が丸くされた四角形）など、環状の形状を広く含む。
【００１０】
この発明のメッシュ式ネブライザでは、使用に際して予め、上記本体に対して薬液パックが着脱可能に装着される。この薬液パックは、メッシュ部が形成された蓋部材と、上記メッシュ部へ向かって開き上記蓋部材に覆われた凹部を有し、この凹部に薬液が収容された薬液収容部材とで構成されている。ここで、上記薬液収容部材の上記凹部の底面のうちの少なくとも上記振動面に対向すべき部分は伸展性を有する素材で形成されている。この構成により、上記薬液パックが上記本体に装着されると、上記底面の上記伸展性を有する素材が伸びて、上記振動面が上記蓋部材の上記メッシュ部に接近するのを許容することが可能となる。
【００１１】
使用時には、上記振動部の上記振動面上へ向けて液体である薬液を供給する。これにより、上記振動面と上記メッシュ部との間に上記薬液が供給される。そして、上記振動部に駆動電圧が印加されて振動面が振動される。これにより、上記メッシュ部を通して上記薬液が霧化されて噴出する。
【００１２】
使用後には、上記本体から上記薬液パックが取り除かれて捨てられる。
【００１３】
このように、この発明のメッシュ式ネブライザは、使用する度に新たな薬液パックを装着するので、メッシュ部を洗浄する必要がない。したがって、衛生的でありかつ噴霧効率を低下させることなしに、ユーザにとって手入れが簡単となる。さらに、使用する度に新しいメッシュ部を使用するため、衛生的でありかつ噴霧効率が低下することがない。
【００１４】
一実施形態のメッシュ式ネブライザでは、
上記本体は、
上記振動面の周りを取り囲む内周壁と、
上記内周壁に対して同心で上記内周壁の周りに回転可能に配置された外周壁と、
上記内周壁と上記外周壁との間に介挿される筒状の周壁を有し、この周壁の一部に形成された開口部を通して上記薬液パックを受け入れて保持するホルダ部材とをさらに備え、
上記本体の上記外周壁が上記内周壁の周りに回転されるのに伴って、上記内周壁に対して上記ホルダ部材を上昇または下降させる昇降機構を備えたことを特徴とする。
【００１５】
この一実施形態のメッシュ式ネブライザでは、上記本体には、薬液パックが保持されるべき筒状のホルダ部材を有している。このホルダ部材には上記薬液パックが出し入れされるべき開口部が周壁の一部に設けられ、この周壁は外周壁の内側に配されている。さらに、外周壁が上記内周壁の周りに回転されるのに伴って、上記内周壁に対して上記ホルダ部材を上昇または下降させる昇降機構を備えられている。
【００１６】
したがって、ユーザにより外周壁が内周壁の周りに回転されると、ホルダ部材が上昇され、外周壁の内側に配された周壁の開口部が露呈される。次に、ユーザはこの開口部を介して薬液パックを装着した後にホルダ部材が上昇するときの方向と逆の方向に外周壁を内周壁の周りに回転させる。すると、昇降機構がホルダ部材を下降させて、周壁の開口部を外周壁の内側に配することが可能となる。
【００１７】
ここで、上記本体に対する上記薬液パックの上記装着時には、上記外周壁が上記内周壁の周りに回転され、上記昇降機構によって上記内周壁に対して上記ホルダ部材が下降されると、上記薬液パックの底面が上記振動面に接近して接触する。そして、上記薬液パックの上記底面の上記伸展性を有する素材が伸びて、上記振動面が上記蓋部材の上記メッシュ部に接近する。また、上記本体からの上記薬液パック取り外し時には、上記外周壁が上記内周壁の周りに回転され、上記昇降機構によって上記内周壁に対して上記ホルダ部材が上昇されると、上記薬液パックが上記振動面から離間する。このようにして、ユーザは薬液パックを本体に脱着することができる。
【００１８】
一実施形態のメッシュ式ネブライザでは、
上記昇降機構は、上記ホルダ部材の外周面に設けられた第１ねじ要素と、上記第１ねじ要素と係合し得るように上記本体の上記外周壁の内面に形成された第２ねじ要素とを備えたことを特徴とする。
【００１９】
この一実施形態のメッシュ式ネブライザでは、ホルダ部材の外周面に第１ねじ要素が形成され、外周壁の内面に上記第１ねじ要素と係合する第２ねじ要素が形成されている。このため、外周壁を回転させることによりホルダ部材を上昇もしくは下降することが可能となる。さらに、ねじ要素はそれぞれに面に溝を形成するだけで構成されるので、容易に構成することができ、破損し難い。
【００２０】
別の局面では、この発明の薬液パックは、上記メッシュ式ネブライザに装着される薬液パックであって、
上記メッシュ部が形成された蓋部材と、
上記メッシュ部へ向かって開き上記蓋部材に覆われた凹部を有し、この凹部に上記振動面上へ向けて供給すべき薬液が収容された薬液収容部材とを備え、
上記薬液収容部材の上記凹部の底面のうちの少なくとも上記振動面に対向すべき部分は伸展性を有する素材で形成されていることを特徴とする。
【００２１】
この発明の薬液パックでは、上記メッシュ式ネブライザを構成するのに適する。
【００２２】
一実施形態の薬液パックでは、
上記蓋部材は、上記薬液収容部材の上縁から外側に延伸して形成されたフランジ部を含み、
上記薬液パックが上記本体に装着されると、上記蓋部材のフランジ部が上記本体の上記振動面の周りを取り囲む内周壁の上縁で支持されることを特徴とする。
【００２３】
この一実施形態の薬液パックでは、上記蓋部材は、上記薬液収容部材の上縁から外側に延伸して形成されたフランジ部を含んでいる。そのため、上記薬液パックが上記本体に装着されると、上記蓋部材のフランジ部が上記本体の上記内周壁の上縁で支持することが可能となる。
【００２４】
一実施形態の薬液パックでは、
上記蓋部材は平坦な形状を有し、
上記凹部は、上記薬液が貯留される深い第１領域と、上記第１領域よりも浅い第２領域とを含み、
上記振動面に対向すべき上記薬液収容部材の上記凹部の底面は上記第２領域に配置されていることを特徴とする。
【００２５】
この一実施形態の薬液パックでは、上記凹部は浅い領域と深い領域とを有し、上記振動面に対向すべき上記薬液収容部材の上記凹部の底面はこの浅い領域に配置されている。この構成により、上記振動面が上記蓋部材の上記メッシュ部にさらに接近し易くなる。
【発明の効果】
【００２６】
以上より明らかなように、この発明のメッシュ式ネブライザは、ユーザにとって手入れが簡単となる。さらに、使用する度に新しいメッシュ部を使用するため、衛生的でありかつ噴霧効率が低下することがない。この発明の薬液パックは、上記メッシュ式ネブライザを構成するのに適する。
【図面の簡単な説明】
【００２７】
【図１】この発明の一実施形態のメッシュ式ネブライザを斜めから見たところを示している。
【図２Ａ】図１のメッシュ式ネブライザに装着される薬液パックの斜視図である。
【図２Ｂ】図２ＡのＤ−Ｄ線に沿って切断したときの縦断面図である。
【図３】図１のメッシュ式ネブライザを右側方から見たときの縦断面の一部を示す図である。
【図４】図１のメッシュ式ネブライザの本体に搭載された制御系のブロック構成を示している。
【図５】図１のメッシュ式ネブライザのホルダ部材の開口部が露呈された状態でのメッシュ式ネブライザと、該メッシュ式ネブライザの本体の凹部に装着される薬液パックとが図示されている。
【図６】図５のメッシュ式ネブライザを右側方から見たときの縦断面の一部を示す図である。
【図７】上記メッシュ式ネブライザをユーザが使用する態様を例示する図である。
【発明を実施するための形態】
【００２８】
以下、この発明の実施の形態を、図面を参照しながら詳細に説明する。
【００２９】
（メッシュ式ネブライザの構成要素）
図１は、この発明の一実施形態のメッシュ式ネブライザ（全体を符号１で示す。）を斜めから見たところを示している。
【００３０】
図１に示すように、このメッシュ式ネブライザ１は、略円柱状の外形をもつ本体下部１１と、本体下部１１に嵌合され、略円柱状の外形をもつ本体上部１２とを備えている。ここで、本体上部１２は、本体下部１１に嵌合され周方向（矢印Ａ）に回転可能な外周壁３１と、外周壁３１の回転に応じて上下方向（矢印Ｂ）に上昇もしくは下降する筒状のホルダ部材３０とを含んでいる。このホルダ部材３０において後述の薬液パック２０が保持される。なお、本体下部１１と本体上部１２とが、本体１０を構成している。
【００３１】
図１に示すように、本体下部１１の前面には、このネブライザ１の電源をオン、オフするための電源スイッチ５０が設けられている。また、本体下部１１の内部には、主に後述の制御系が搭載されている。さらに、ホルダ部材３０の上面３０ａに開口部３０ｏが設けられ、この開口部３０ｏに、例えばマウスピース８０を着脱可能に装着する。
【００３２】
図２Ａは図１のメッシュ式ネブライザ１に装着される薬液パック２０の斜視図であり、図２Ｂは図２ＡのＤ−Ｄ線に沿って切断したときの縦断面図である。図２Ａ及び図２Ｂに示すように、薬液パック２０は、凹部１７を有する薬液収容部材２４と、該薬液収容部材２４を覆い、略平坦な形状を有する蓋部材２１とで構成されている。
【００３３】
図２Ａ及び図２Ｂに示すように、薬液パック２０の薬液収容部材２４は、薬液２３が貯留される深い第１領域Ｒ１と、該第１領域Ｒ１よりも浅い第２領域Ｒ２とを含む。ここで、後述の振動面４３に対向すべき薬液収容部材２４の凹部１７の底面２４ｃは第２領域に配置されている。また、薬液収容部材２４の凹部１７の底面２４ｃのうちの後述の振動面４３に対向すべき部分２４ｄは伸展性を有する素材で形成されている。この構成により、薬液パック２０が本体１０に装着されると、底面２４ｃの伸展性を有する素材が伸びて、振動面４３が蓋部材２１のメッシュ部２４ａに接近するのが許容される。
【００３４】
薬液パック２０の蓋部材２１の略中央にはメッシュ部２４ａが形成されている。この蓋部材２１は、薬液収容部材２４の側壁２４ｅの上縁２４ｂからそれぞれ外側に延伸して形成されたフランジ部２１ａを含む。
【００３５】
図３は、図１のメッシュ式ネブライザ１を右側方（図１中に矢印Ｃで示す方向）から見たときの縦断面の一部を示す図である。図３では、薬液パック２０がメッシュ式ネブライザ１の本体１０に装着されていない状態でのメッシュ式ネブライザ１が示されている。
【００３６】
図３に示すように、本体下部１１には、振動面４３の周りを取り囲む内周壁１６ｃが含まれている。ここで、振動面４３と内周壁１６ｃとは一体に形成されている。本体上部１２には、本体下部１１の内周壁１６ｃに対して同心で該内周壁１６ｃの周りに回転可能に配置された外周壁３１が含まれている。
【００３７】
また、本体下部１１の上方には、外周に沿ってリング状に凸部１１ａが形成されている。本体上部１２の外周壁３１には、本体下部１１の凸部１１ａに嵌合される凹部３１ａが形成されている。この構成により、本体上部１２の外周壁３１を周方向に回転させることが可能となる。
【００３８】
また、本体下部１１の上面には、薬液パック２０が嵌合可能なように、上方へ向かって開いた凹部１６が設けられている。この凹部１６は、図２Ａ及び図２Ｂの薬液パック２０の第１領域Ｒ１に嵌合される第３領域Ｒ３と、薬液パック２０の第２領域Ｒ２に嵌合される第４領域とを含む。ここで、第３領域Ｒ３は、第４領域Ｒ４よりも深い。この構成により、薬液パック２０を凹部１６に嵌合することが可能となる。ここで、図６で後述するように、薬液パック２０が本体１０の凹部１６に装着されると、薬液パック２０の蓋部材２１のフランジ部２１ａが本体１０の内周壁１６ｃの上縁１６ａで支持される。
【００３９】
さらに、凹部１６の第４領域Ｒ４の底面１６ｂには、振動部４０が設けられている。この振動部４０は、凹部１６の第４領域Ｒ４の底面１６ｂに設けられた超音波振動子４１と、凹部１６の第４領域Ｒ４の底面１６ｂに相当する位置に水平に配された振動面４３と、超音波振動子４１と振動面４３との間に配され、超音波振動子４１の振動を増幅するとともに振動面４３へ伝達するホーン４２とを含んでいる。超音波振動子４１に対する駆動電圧は、本体上部１２と本体下部１１との間に設けられた接点電極を介して、本体下部１１から供給されるようになっている。
【００４０】
またさらに、ホルダ部材３０は、薬液パック２０が出し入れされるべき開口部３０ｂを周壁の一部に有する。ホルダ部材３０の周壁は、内周壁１６ｃと外周壁３１との間に介挿される。すなわち、ホルダ部材３０は、内周壁１６ｃと外周壁３１との間に介挿される筒状の周壁を有し、この周壁の一部に形成された開口部３０ｂを通して薬液パック２０を受け入れて保持する。
【００４１】
さらに、メッシュ式ネブライザ１は、本体１０の外周壁３１が内周壁１６ｃの周りに回転されるのに伴って、本体１０に対してホルダ部材３０を上昇または下降させる昇降機構１００を備えている。この昇降機構１００は、ホルダ部材３０の外周面に設けられた第１ねじ要素３３と、該第１ねじ要素３３と係合し得るように本体１０の外周壁３１の内面に形成された第２ねじ要素３４とで構成される。この構成により、ユーザが本体１０の外周壁３１を周方向（図１の矢印Ａで示す方向）に回転させると、ホルダ部材３０を上昇させることが可能となる。したがって、ホルダ部材３０の内側に隠れていた開口部３０ｂを露呈することができる。さらに、ユーザが本体１０の外周壁３１を周方向（図１の矢印Ａで示す方向）に回転させると、ホルダ部材３０を下降させることが可能となる。したがって、開口部３０ｂが外周壁３１の内側に配されて、開口部３０ｂが外周壁３１により閉じられる。
【００４２】
図４は、このメッシュ式ネブライザ１の本体１０に搭載された制御系のブロック構成を示している。このメッシュ式ネブライザ１は、操作部６１と、報知部６２と、制御部６３と、発振周波数生成部６４と、霧化部６５と、電源部６６とを備えている。操作部６１は、この例では、図１中に示した電源スイッチ５０を含んでいる。報知部６２は、例えばブザー（図示せず）を含んでもよい。発振周波数生成部６４は、制御部６３からの制御信号に基づいて、交流の駆動電圧を霧化部６５に印加する。この駆動電圧は、例えば、電源スイッチ５０が押されてから或る出力時間にわたって出力される。出力時間の計測は、図示しないタイマによって行うこともできる。霧化部６５は、図１中に示した振動部４０と薬液パック２０のメッシュ部２４ａとを含んでいる。発振周波数生成部６４からの交流駆動電圧は、霧化部６５をなす振動部４０の超音波振動子４１に印加される。この超音波振動子４１の振動は、ホーン４２によって増幅されるとともに振動面４３へ伝達される。振動面４３が振動すると、振動面４３とメッシュ部２４ａとの間の隙間に供給された薬液がメッシュ部２４ａを通して霧化されて噴出する。制御部６３は、ＣＰＵ（Central Processing Unit；中央演算処理装置）を含み、発振周波数生成部６４を介して霧化部６５に信号を送り、霧化量、連続動作時間等を制御する。また、制御部６３は、例えばＬＥＤランプなどの点灯もしくは点滅によって電源がオンされたことや電池の容量が不足していることなどを報知する。電源部６６は、電池（例えば、ＤＣ３Ｖの充放電可能な二次電池）を含み、この制御系の各部に電力を供給する。
【００４３】
（薬液パック２０の装着について）
図５は、図１のメッシュ式ネブライザ１のホルダ部材３０の開口部３０ｂが露呈された状態でのメッシュ式ネブライザ１と、該メッシュ式ネブライザ１の本体１０の凹部１６に装着される薬液パック２０とが図示されている。このメッシュ式ネブライザ１を使用しようとするユーザは、図５に示したように本体１０の外周壁３１を矢印Ｅで示す方向に回転させる。すると、第２ねじ要素３４に係合される第１ねじ要素３３が形成されたホルダ部材３０が矢印Ｆで示す方向に上昇し、外周壁３１により閉じられていた開口部３０ｂが露呈する。これにより、ユーザは、この開口部３０ｂを介して薬液パック２０を本体１０の凹部１６に入れて保持させる。
【００４４】
次に、ユーザは、凹部１６に薬液パック２０を装着した状態で、本体１０の外周壁３１を矢印Ｅとは逆方向に回転させる。すると、第２ねじ要素３４に係合される第１ねじ要素３３が形成されたホルダ部材３０が矢印Ｆとは逆方向に下降し、開口部３０ｂが外周壁３１の内側に配される。すなわち、開口部３０ｂは外周壁３１により閉じられる。これにより、薬液パック２０のメッシュ式ネブライザ１への装着が完了する。
【００４５】
本体１０に対する薬液パック２０の装着時には、外周壁３１が内周壁１６ｃの周りに回転され、昇降機構１００によって内周壁１６ｃに対してホルダ部材３０が下降される。すると、薬液パック２０の薬液収容部材２４の凹部１７の底面２４ｃが振動面４３に接近して接触する。そして、底面２４ｃの伸展性を有する素材が伸びて、振動面４３が蓋部材２１のメッシュ部２４ａに接近する。また、本体１０からの薬液パック２０を取り外す時には、外周壁３１が内周壁１６ｃの周りに回転され、昇降機構１００によって内周壁１６ｃに対してホルダ部材３０が上昇されると、薬液パック２０が振動面４３から離間する。
【００４６】
図６は、図５のメッシュ式ネブライザ１を右側方（図５中に矢印Ｇで示す方向）から見たときの縦断面の一部を示す図である。図６では、薬液パック２０がメッシュ式ネブライザ１の本体１０の凹部１６に装着された状態でのメッシュ式ネブライザ１が示されている。図６に示すように、ユーザは開口部３０ｂを介して、薬液パック２０を本体１０の凹部１６に装着する。このとき、薬液パック２０の蓋部材２１のフランジ部２１ａが本体１０の内周壁１６ｃの上縁１６ａで支持される。
【００４７】
また、図６に示すように、薬液パック２０が本体１０の凹部１６に装着されると、薬液パック２０の薬液収容部材２４の凹部１７の底面２４ｃのうちの振動面４３に対向すべき部分２４ｄが伸びて、振動面４３が蓋部材２１のメッシュ部２４ａに接近した状態になる。
【００４８】
（メッシュ式ネブライザの使用）
このメッシュ式ネブライザ１を使用する場合、予め、ユーザは、上述の手順で薬液パック２０を装着する。そして、図７に示すように、ユーザは、ホルダ部材３０の上面３０ａに設けられた開口部３０ｏに、例えばマウスピース８０を着脱可能に装着する。なお、マウスピース８０に代えて、ユーザ９９の顔を覆うような吸入マスクを装着してもよい。
【００４９】
図７中に示すように、ユーザがメッシュ式ネブライザ１を少しだけ手前に傾けると、図２Ｂの第１領域にある薬液２３が薬液パック２０の凹部１７の底面２４ｃに沿って、振動部４０の振動面４３上へ向けて供給される。つまり、振動面４３とメッシュ部２４ａとの間に薬液が供給される。そして、ユーザが電源スイッチ５０をオンすると、振動部４０の超音波振動子４１に駆動電圧が印加されて振動面４３が振動される。これにより、メッシュ部２４ａを通して薬液２３が霧化されて噴出する。
【００５０】
使用後には、本体１０から薬液パック２０が取り除かれて捨てられる。
【００５１】
このように、この発明のメッシュ式ネブライザ１は、使用する度に新たな薬液パック２０を装着するので、メッシュ部２４ａを洗浄する必要がない。したがって、衛生的でありかつ噴霧効率を低下させることなしに、ユーザにとって手入れが簡単となる。さらに、使用する度に新しいメッシュ部２４ａを使用するため、衛生的でありかつ噴霧効率が低下することがない。
【００５２】
以上の実施形態は例示であり、この発明の範囲から離れることなく様々な変形が可能である。上述した複数の実施の形態は、それぞれ単独で成立し得るものであるが、実施の形態同士の組みあわせも可能である。また、異なる実施の形態の中の種々の特徴も、それぞれ単独で成立し得るものであるが、異なる実施の形態の中の特徴同士の組みあわせも可能である。
【符号の説明】
【００５３】
１  メッシュ式ネブライザ
１０  本体
１１  本体下部
１２  本体上部
１７  凹部
２０  薬液パック
２１  蓋部材
２３  薬液
２４  薬液収容部材
３０  ホルダ部材
３１  外周壁
３３  第１ねじ要素
３４  第２ねじ要素
４０  振動部
４１  超音波振動子
４２  ホーン
４３  振動面
５０  電源スイッチ
６１  操作部
６２  報知部
６３  制御部
６４  発振周波数生成部
６５  霧化部
８０  マウスピース
１００  昇降機構
【図１】
0006776761.tif 000002
【図２Ａ】
0006776761.tif 000003
【図２Ｂ】
0006776761.tif 000004
【図３】
0006776761.tif 000005
【図４】
0006776761.tif 000006
【図５】
0006776761.tif 000007
【図６】
0006776761.tif 000008
【図７】
0006776761.tif 000009